(57)【要約】【課題】軽量化が図れると共にその取り扱いが容易になり、滑らかにスムーズに走行ができ、騒音の発生を抑制することができ、トップテーブルの着脱が容易にできる水平循環可能なテーブルトップ型搬送ベルトを提供することを目的とする。【解決手段】ポリウレタン製歯付きベルト２の一側端に、固定用治具３を介してトッププレート４が着脱可能に取り付けられる。固定用治具３には、略々三日月形状のトッププレート４が軸部材５で軸支されていると共に、この固定用治具３は下部に一対の脚部３ｂ、３ｃを備え、この一対の脚部を歯付きベルトの側方から圧入することにより、固定用治具３が歯付きベルト２に取り付けられる。【選択図】　図１
2004051313.tif 000002
【特許請求の範囲】
【請求項１】
断面略々Ｖ形状のガイドを有するポリウレタン製歯付きベルトの一側端に、所定の間隔を空けて複数の固定用治具が着脱可能に取り付けられ、該固定用治具に搬送物品が載置されるトッププレートが軸部材で軸支されていることを特徴とする水平循環可能なテーブルトップ型搬送ベルト。
【請求項２】
前記固定用治具は下部に一対の脚部を備え、該一対の脚部が前記歯付きベルトの歯底部を跨いで前記歯付きベルトの側方から圧入されることにより、該固定用治具が歯付きベルトに取り付けられていることを特徴とする請求項１記載の水平循環可能なテーブルトップ型搬送ベルト。
【発明の詳細な説明】
【０００１】
【発明の属する技術分野】
本発明は、歯付きベルトの一側端に多数設けられた固定用治具を介して取り付けられたトッププレートの上に物品を載置して搬送する水平循環可能なテーブルトップ型搬送ベルトに関し、例えば、寿司、野菜サラダ等の食品、お好み焼き用食材、焼き肉用食材等を入れた皿、容器等を搬送する際に使用したり、食品工場でヨーグルト、乳製品など液状食品の入った容器等を搬送する際に使用したりする水平循環可能なテーブルトップ型搬送ベルトに関する。
【０００２】
【従来の技術】
従来、トッププレートに物品を載置して水平循環経路に沿って搬送するテーブルトップ型搬送装置として、チェーンを用いた所謂テーブルトップチェーンが知られている（例えば、実公平２−３１４５６号公報）。
【０００３】
従来の水平循環可能なテーブルトップチェーンの一例を図６、図７に示す。図６はテーブルトップチェーンの平面図であり、図７は図６のＦ７−Ｆ７線断面図である。このテーブルトップチェーン２１は、ベースチェーン２２のそれぞれのオフセットリンク２３に物品が載置される三日月形状のトッププレート２５が設けられて構成される。
【０００４】
すなわち、ベースチェーン２２は、オフセットリンク２３の端部２３ａと隣接するオフセットリンク２３の筒状端部２３ｂとが連結ピン２４で連結されて形成され、この連結ピン２４によりトッププレート２５がオフセットリンク２３の上部に取り付けられることにより、テーブルトップチェーン２１が形成される。そして、このテーブルトップチェーン２１を構成するオフセットリンク２３、トッププレート２５等は、通常、合成樹脂製あるいは金属製のものである。
【０００５】
【発明が解決しようとする課題】
従来のテーブルトップチェーンは、ベースチェーンが多数のオフセットリンクで形成されているため、質量が大きくその取り扱いが不便であるという問題があり、トッププレートを支持する走行機構が比較的長いオフセットリンクからなるベースチェーンであるため、このベースチェーンがスプロケットに噛み合って走行することにより、コーナー部での走行がぎくしゃくした挙動になると共に、騒音が発生するという問題がある。
【０００６】
そこで、本発明は、前述したような従来技術の問題点を解消し、軽量化が図れると共にその取り扱いが容易になり、滑らかにスムーズに走行ができ、騒音の発生を抑制することができ、トッププレートの着脱が容易にできる水平循環可能なテーブルトップ型搬送ベルトを提供することを目的とする。
【０００７】
【課題を解決するための手段】
前記目的を達成するために、本発明は、上記問題点の解決手段として、従来のベースチェーンに代えて歯付きベルトを採用したもので、請求項１に係る本発明は、断面略々Ｖ形状のガイドを有するポリウレタン製歯付きベルトの一側端に、所定の間隔を空けて複数の固定用治具が着脱可能に取り付けられ、該固定用治具に搬送物品が載置されるトッププレートが軸部材で軸支されている水平循環可能なテーブルトップ型搬送ベルト、という構成としたものであり、請求項２に係る本発明は、前記水平循環可能なテーブルトップ型搬送ベルトにおいて、前記固定用治具が下部に一対の脚部を備え、該一対の脚部が前記歯付きベルトの歯底部を跨いで前記歯付きベルトの側方から圧入されることにより、該固定用治具が歯付きベルトに取り付けられている、という構成としたものである。
【０００８】
【作用】
水平循環可能なテーブルトップ型搬送ベルトは、歯付きベルトがトッププレートを上方に位置するように縦向きで水平方向に走行するように、水平回転する複数の歯付きプーリ（図示略）に懸回されて走行することにより、トッププレート上に載置された物品を循環経路に沿って搬送する。この場合、歯付きプーリに懸回される歯付きベルトがポリウレタン製であることにより、騒音の発生を抑制して、無給油での使用が可能となる。また、トッププレートが設けられた固定用治具が着脱可能に歯付きベルトに取り付けられていることにより、その組立て、分解が簡単になると共に、固定用治具及びトッププレートを歯付きベルトから取り外して洗浄することも可能となる。
【０００９】
【発明の実施の形態】
本発明の実施例を図１〜図５に基づいて説明する。図１は水平循環可能なテーブルトップ型搬送ベルトの概要を示す平面図、図２は図１のＦ２−Ｆ２線断面図、図３は固定用治具の外観を示し、（Ａ）は正面図、（Ｂ）は側面図、（Ｃ）は底面図、図４は固定用治具の斜視図、図５は固定用治具及びトッププレートを取り付ける前の歯付きベルトの斜視図である。
【００１０】
水平循環可能なテーブルトップ型搬送ベルト１は、以下詳述するように、ポリウレタン製の歯付きベルト２に着脱可能に取り付けられた固定用治具３を介して、搬送物品が載置される略々三日月形状のトッププレート４が取り付けられている。なお、図２における６は、トッププレート４を摺動案内するガイドプレートであり、機台などに固定されている。
【００１１】
図２あるいは図５に示すように、歯付きベルト２は、歯付きプーリ（図示略）の歯に噛み合う複数の歯部２ａを有すると共に、その略々中央に長手方向に亘って形成された断面略々Ｖ形状のガイド２ｃを有する。この断面略々Ｖ形状のガイド２ｃは、歯付きベルト２が縦向き（すなわち、水平面に対して略々垂直状態）で水平方向に走行する際、水平回転する歯付きプーリに懸回された歯付きベルト２が歯付きプーリの略々中央部に形成されたＶ形状凹部に嵌入して、走行中に上下方向にずれないようにするためのガイドである。
【００１２】
この歯付きベルト２の一側端には、所定の間隔を空けて、所定ピッチの歯底部２ｂに、トッププレート４を軸支した固定用治具３が歯付きベルト２に着脱可能に取り付けられる。
【００１３】
すなわち、固定用治具３は、図３、図４に示すように、天板部３ａの下部に一対の脚部３ｂ、３ｃを備え、この脚部３ｂ、３ｃは歯付きベルト２が屈曲して走行する際、屈曲の妨げにならないように湾曲面３ｂ’、３ｃ’で形成されている。それと共に、固定用治具３には、搬送物品が載置される略々三日月形状のトッププレート４が軸部材であるねじ５とねじ孔３ｄとの螺合により軸支されている。なお、この取付用の軸部材は、ねじやビス等のほかにピンなどであってもよい。この固定用治具３は、一対の脚部３ｂ、３ｃが歯付きベルト２の歯底部２ｂを跨いで歯付きベルト２の側方から圧入されることにより歯付きベルト２に着脱可能に取り付けられる。
【００１４】
上記構成からなるテーブルトップ型搬送ベルト１は、略々三日月形状のトッププレート４が上方に位置して歯付きベルト２が縦向きで水平方向に走行することにより、図２に示されるように、トッププレート４がガイドプレート６上を摺動走行して、トッププレート４上に載置された物品を循環経路に沿って搬送する。
【００１５】
そして、テーブルトップ型搬送ベルト１は次の作用効果を奏する。すなわち、歯付きベルト２がポリウレタン製であるため、騒音の発生を抑制することができると共に無給油で使用することができ、摩耗粉の発生を抑制することができ、食品搬送用ベルトとして最適のものとすることができる。また、白色系ベルトとした場合は、例え僅かに摩耗粉が発生したとしても、黒色系ベルトに比較して目立たないようにすることができる。
【００１６】
トッププレート４を軸支した固定用治具３が歯付きベルト２に一対の脚部３ｂ、３ｃを圧入することにより取り付けられるので、固定用治具３とトッププレート４とを一体にして取り付け、取り外しを行うことができる。また、歯付きベルト２への着脱が可能であることにより、分解して、歯付きベルト２、固定用治具３、トッププレート４等の洗浄を行うことができる。
【００１７】
【発明の効果】
以上説明したように、請求項１に係る本発明は、断面略々Ｖ形状のガイドを有するポリウレタン製歯付きベルトの一側端に、所定の間隔を空けて複数の固定用治具が着脱可能に取り付けられ、この固定用治具に搬送物品が載置されるトッププレートが軸部材で軸支されているので、トッププレートが取り付けられる走行機構が歯付きベルトであることにより、従来のテーブルトップチェーンのようにコーナー部走行におけるぎくしゃくした挙動がなくなり、スムーズな走行によって搬送を行うことができると共に、軽量化を図ることができる。
【００１８】
歯付きベルトがポリウレタン製であることにより、騒音の発生を抑制することができると共に無給油で使用することができ、摩耗粉の発生を抑制することができる。また、ポリウレタン製歯付きベルトを白色系ベルトとした場合は、例え僅かに摩耗粉が発生したとしても、黒色系ベルトに比較して目立たないようにすることができる。
【００１９】
トッププレートを軸部材で軸支している固定用治具が歯付きベルトに着脱可能に取り付けられていることにより、固定用治具及びトッププレートを歯付きベルトから取り外すことができ、その結果、これらの洗浄を容易に行うことができる。
【００２０】
請求項２に係る本発明は、固定用治具が下部に一対の脚部を備え、この一対の脚部が歯付きベルトの歯底部を跨いで歯付きベルトの側方から圧入されることにより、固定用治具が歯付きベルトに取り付けられているので、固定用治具の歯付きベルトへの取り付け、取り外しが容易に行われるようになり、搬送ベルトの組立、分解を容易に行うことができる。
【図面の簡単な説明】
【図１】本発明実施例を示し、テーブルトップ型搬送ベルトの平面図である。
【図２】同上、図１のＦ２−Ｆ２線断面図である。
【図３】同上、固定用治具の外観を示し、（Ａ）は正面図、（Ｂ）は側面図、（Ｃ）は底面図である。
【図４】同上、固定用治具の斜視図である。
【図５】同上、歯付きベルトの斜視図である。
【図６】従来のテーブルトップチェーンの平面図である。
【図７】図６のＦ７−Ｆ７線断面図である。
【符号の説明】
１　テーブルトップ型搬送ベルト
２　歯付きベルト
２ａ　歯部
２ｂ　歯底部
２ｃ　断面略々Ｖ形状のガイド
３　固定用治具
３ａ　天板部
３ｂ、３ｃ　脚部
３ｂ’、３ｃ’湾曲面
３ｄ　ねじ孔
４　トッププレート
５　ねじ
６　ガイドプレート
【図１】
2004051313.tif 000003
【図２】
2004051313.tif 000004
【図３】
2004051313.tif 000005
【図４】
2004051313.tif 000006
【図５】
2004051313.tif 000007
【図６】
2004051313.tif 000008
【図７】
2004051313.tif 000009